(57)【要約】【課題】引き戸の揺れを効果的に防止することができ、かつ、引き戸を開放したときには床面が平坦になる、吊下げ式引き戸のための振止め装置を提供する。【解決手段】摺動自在に吊り下げられた少なくとも１枚の戸板を備えた引き戸の振れを防止するための振止め装置。床面に固着された台座と、台座に上下方向に移動自在に取り付けられ、磁性体からなり、係合部を有する可動部材と、戸板の下端縁に固着されたレールと、可動部材の係合部をレールに係合する位置へ案内する端部ガイドと、端部ガイドに近接した位置に配置され、前記可動部材を前記端部ガイドへ向かって吸引する磁石とからなる。また、前記可動部材が、前記台座に上下方向に揺動自在に取り付けられたプレートからなる。さらに、台座の上面が床面と同一平面になるよう、前記台座および前記可動部材が床面に埋め込まれる形状である。【選択図】図２
2005155309.tif 000002
【特許請求の範囲】
【請求項１】
摺動自在に吊り下げられた少なくとも１枚の戸板を備えた引き戸の振れを防止するための振止め装置であって、
（ａ）床面に固着された台座と、
（ｂ）該台座に上下方向に移動自在に取り付けられ、少なくとも一部が磁性体からなる可動部材であって、先端部に当該可動部材の長手方向と略垂直方向に延びる係合部が突設された可動部材と、
（ｃ）前記戸板の下端縁に固着され、前記可動部材の係合部と係合するとともに該係合部を前記戸板の下端縁に沿って案内するレールと、
（ｄ）前記戸板の下端縁で、かつ前記レールの少なくとも一方の端部に連結された、前記可動部材の係合部を前記レールに係合する位置へ案内する端部ガイドと、
（ｅ）前記端部ガイドに近接した位置に配置され、前記可動部材を前記端部ガイドへ向かって吸引する磁石
とからなる、吊下げ式引き戸のための振止め装置。
【請求項２】
前記可動部材の一部が磁石からなる請求項１記載の振止め装置。
【請求項３】
前記端部ガイドが、前記磁石を端部ガイドにおける所定の固着位置に係止するための少なくとも１本の爪を有し、当該爪の先端には、所定の固着位置に係止される磁石と面接触することによって磁石の脱落を防止する接触面が形成されてなる請求項１または２記載の振止め装置。
【請求項４】
摺動自在に吊り下げられた少なくとも１枚の戸板を備えた引き戸の振れを防止するための振止め装置であって、
（ａ）床面に固着された台座と、
（ｂ）該台座に上下方向に移動自在に取り付けられ、少なくとも先端部付近が磁石からなる可動部材であって、先端部に当該可動部材の長手方向と略垂直方向に延びる係合部が突設された可動部材と、
（ｃ）前記戸板の下端縁に固着され、前記可動部材の係合部と係合するとともに該係合部を前記戸板の下端縁に沿って案内するレールと、
（ｄ）前記戸板の下端縁で、かつ前記レールの少なくとも一方の端部に連結された、前記可動部材の係合部を前記レールに係合する位置へ案内する端部ガイドと、
（ｅ）前記端部ガイドに近接した位置に配置され、前記可動部材を前記端部ガイドへ向かって移動させる磁性体
とからなる、吊下げ式引き戸のための振止め装置。
【請求項５】
前記端部ガイドが、前記磁性体を端部ガイドにおける所定の固着位置に係止するための少なくとも１本の爪を有し、当該爪の先端には、所定の固着位置に係止される磁性体と面接触することによって磁性体の脱落を防止する接触面が形成されてなる請求項４記載の振止め装置。
【請求項６】
前記可動部材が、前記台座に上下方向に揺動自在に取り付けられたプレートからなる請求項１、２、３、４または５記載の振止め装置。
【請求項７】
前記台座の上面が床面と同一平面になるよう、前記台座および前記可動部材が床面に埋め込まれる請求項６記載の振止め装置。
【請求項８】
前記レールの断面形状が、前記端部ガイドに突設された嵌合突起と嵌合し得る空間部を有してなる請求項１、２、３、４、５、６または７記載の振止め装置。
【発明の詳細な説明】
【技術分野】
【０００１】
本発明は吊下げ式引き戸のための振止め装置に関する。さらに詳しくは、引き戸の揺れを効果的に防止することができ、かつ、引き戸を開放したときには床面が平坦になる吊下げ式引き戸のための振止め装置に関する。
【背景技術】
【０００２】
大きな部屋の間仕切りや部屋の入口の開閉のために、種々の引き戸が用いられている。通常、床上を摺動する引き戸の場合、引き戸を所定の方向に沿って案内するために敷居が設けられたり、または床板などにレールまたは溝が設けられているが、これらのレールや溝は、人間や台車などの横断の通行の妨げになるおそれがあり、とくにバリアフリーの観点から好ましくない。
【０００３】
そこで、近年においては、部屋の鴨居や天井などに設けられたレールに引き戸を吊り下げ、引き戸を床からわずかに離間した状態で摺動させる吊り下げ式の引き戸が使用されている。
【０００４】
吊り下げ式引き戸では、引き戸の下端が拘束されていないため、引き戸が振れ動くのを防止する振れ止めが必要である。しかし、振止めが床から突き出したままであると、通行の障害になり、吊り下げ式の利点が損なわれる。そこで従来、床面側に沈めたガイドピンを吊戸側に設けた磁石により引き上げて、突出させて走行をガイドする吊戸の走行ガイドが提案されている。たとえば、特許文献１では、ガイドピンがシリンダ状の外部ケースの中にピストン状のガイドピンが上下に動く構造である。
【０００５】
【特許文献１】特開２００１−６５２２８号公報
【発明の開示】
【発明が解決しようとする課題】
【０００６】
吊り下げ式の引き戸は、下端が拘束されておらず、しかも床上を摺動する引き戸と比較して一般的に軽量であるので、振れやすいという問題がある。そのため、使用者の身体などが引き戸に軽く当たるだけで容易に振れてしまうという問題がある。引き戸の振れを防止するために、引き戸に取り付けられたピンを床に形成された穴または溝に係止させることが考えられるが、この場合、床に穴または溝を形成する作業が必要になり、また、床に形成された穴または溝は、塵やほこりがたまりやすいという問題がある。
【０００７】
一方、床からピンや突起を突設させ、当該ピンや突起を引き戸の下端面に形成された溝に挿入させても引き戸の振れを防止することができるが、引き戸を開放したときに床面からピンや突起が突出しているので、人間などの通行の妨げになってしまう。
【０００８】
前記の特許文献１のように、床面側に沈めたガイドピンを吊戸側に設けた磁石により引き上げて、突出させて走行をガイドする吊戸の走行ガイドがあるが、吊戸がないときにピンが床から突出しないためには、床にピンの長さ以上の穴を形成しなければならない。
【０００９】
本発明はかかる問題を解消するためになされたものであり、引き戸の揺れを効果的に防止することができ、引き戸を開放したときには床面が平坦になり、かつ、床面への取付が容易な吊下げ式引き戸のための振止め装置を提供することを目的とする。
【課題を解決するための手段】
【００１０】
本発明の請求項１記載にかかわる吊下げ式引き戸のための振止め装置は、摺動自在に吊り下げられた少なくとも１枚の戸板を備えた引き戸の振れを防止するための振止め装置であって、
（ａ）床面に固着された台座と、
（ｂ）該台座に上下方向に移動自在に取り付けられ、少なくとも一部が磁性体からなる可動部材であって、先端部に当該可動部材の長手方向と略垂直方向に延びる係合部が突設された可動部材と、
（ｃ）前記戸板の下端縁に固着され、前記可動部材の係合部と係合するとともに該係合部を前記戸板の下端縁に沿って案内するレールと、
（ｄ）前記戸板の下端縁で、かつ前記レールの少なくとも一方の端部に連結された、前記可動部材の係合部を前記レールに係合する位置へ案内する端部ガイドと、
（ｅ）前記端部ガイドに近接した位置に配置され、前記可動部材を前記端部ガイドへ向かって吸引する磁石
とからなることを特徴とする。
【００１１】
前記可動部材の一部が磁石からなるのが好ましい。
【００１２】
また、前記端部ガイドが、前記磁石を端部ガイドにおける所定の固着位置に係止するための少なくとも１本の爪を有し、当該爪の先端には、所定の固着位置に係止される磁石と面接触することによって磁石の脱落を防止する接触面が形成されてなるのが好ましい。
【００１３】
本発明の請求項４記載にかかわる吊下げ式引き戸のための振止め装置は、摺動自在に吊り下げられた少なくとも１枚の戸板を備えた引き戸の振れを防止するための振止め装置であって、
（ａ）床面に固着された台座と、
（ｂ）該台座に上下方向に移動自在に取り付けられ、少なくとも先端部付近が磁石からなる可動部材であって、先端部に当該可動部材の長手方向と略垂直方向に延びる係合部が突設された可動部材と、
（ｃ）前記戸板の下端縁に固着され、前記可動部材の係合部と係合するとともに該係合部を前記戸板の下端縁に沿って案内するレールと、
（ｄ）前記戸板の下端縁で、かつ前記レールの少なくとも一方の端部に連結された、前記可動部材の係合部を前記レールに係合する位置へ案内する端部ガイドと、
（ｅ）前記端部ガイドに近接した位置に配置され、前記可動部材を前記端部ガイドへ向かって移動させる磁性体
とからなることを特徴とする。
【００１４】
前記端部ガイドが、前記磁性体を端部ガイドにおける所定の固着位置に係止するための少なくとも１本の爪を有し、当該爪の先端には、所定の固着位置に係止される磁性体と面接触することによって磁性体の脱落を防止する接触面が形成されてなるのが好ましい。
【００１５】
前記可動部材が、前記台座に上下方向に揺動自在に取り付けられたプレートからなるのが好ましい。
【００１６】
さらに、前記台座の上面が床面と同一平面になるよう、前記台座および前記可動部材が床面に埋め込まれることが好ましい。
【００１７】
なお、前記レールの断面形状が、前記端部ガイドに突設された嵌合突起と嵌合し得る空間部を有してなるのが好ましい。
【発明の効果】
【００１８】
本発明によれば、戸板に設けられた磁石の吸引力によって床面から突出する可動部材を用いて、引き戸の揺れを効果的に防止することができる。
【００１９】
しかも、引き戸を開放したときには可動部材から磁石が遠ざかることによって可動部材は元の位置へ戻るため、床面が平坦になり、人間や台車の通行の妨げにならない。
【００２０】
また、可動部材が揺動して床面から突出するので、可動部材が台座に収容されているときには、床面からの厚さが小さく、通行などの妨げにならず、かつ、床面への取付が容易である。
【発明を実施するための最良の形態】
【００２１】
実施の形態１
つぎに図面を参照しながら本発明の吊下げ式引き戸のための振止め装置を詳細に説明する。図１は本発明の実施の形態１にかかわる振止め装置を備えた吊下げ式引き戸の一例を示す平面説明図、図２は図１の吊下げ式引き戸の正面図、図３は図１の引き戸の下端縁におけるレールに係合された可動部材を示す要部切欠斜視説明図、図４は図２の台座および可動部材を示す平面図、図５は図４のＶ−Ｖ線断面図、図６は図２の端部ガイドおよび磁石の平面図、図７は図２の端部ガイドの底面図、図８は図６のVIII−VIII線断面図、図９は図６のIX−IX線断面図、および図１０は図２の振止め装置の動作説明図である。なお、図面においては、分かり易くするために、戸板間のすき間、および戸板と床面とのすき間を誇張して描いている。
図１〜２には、本発明の振止め装置が適用される吊り下げ式の引き戸の一例として、大きな部屋の間仕切りなどに用いられる、いわゆる４枚引きの引き戸が示されている。４枚引きの吊り下げ式引き戸では、４枚の戸板Ｓ１〜Ｓ４が部屋の天井または鴨居などに設けられたレールに対してローラなどを介して摺動自在に吊り下げられている。この４枚の戸板Ｓ１〜Ｓ４の下端面および床面において、本実施の形態の振れ止め装置が設けられている。
【００２２】
本実施の形態の振れ止め装置は、図３〜９に示されるように、床面に固着された台座１と、台座１に上下方向に揺動自在に取り付けられた磁性体からなる揺動プレート２と、戸板Ｓ１〜Ｓ４のそれぞれの下端縁に固着され、揺動プレート２の係合部６を戸板Ｓ１〜Ｓ４のそれぞれの下端縁に沿って案内するレール３と、戸板Ｓ１〜Ｓ４のそれぞれの下端縁で、かつレール３の両端部に連結された、揺動プレート２の係合部６をレール３に係合する位置へ案内する端部ガイド４と、端部ガイド４に固着され、揺動プレート２を端部ガイド４へ向かって吸引する磁石５とから構成されている。
【００２３】
台座１は、図４および図５に示されるように、床面から出っ張らない厚さ、たとえば厚さ３ｍｍ程度の薄い金属プレートからなり、しかも、周縁へ向かうにつれて厚さが薄くなる形状を呈しているため、床面に穴をあけることなく取り付けることができ、実質的に床面とともに滑らかな平坦面を形成している。それにより、人間や台車の通行の妨げにならない。
【００２４】
揺動プレート２は、鉄、スチールなどの磁性体で作製された薄板からなり、先端部には当該揺動プレート２の長手方向と略垂直方向に延びる一対の係合部６が突設されている。また、揺動プレート２の根元側端部には、同じく揺動プレート２の長手方向と略垂直方向に延びる一対の回転軸７が突設されている。揺動プレート２は台座１の略矩形のスリット８内部に下方から挿入され、回転軸７は台座１の下面側に形成された軸受凹部９に挿入されている。さらに、台座１の下面には押え板１０が固着されており、回転軸７が軸受凹部９から脱落しないようになっている。かかる構成によって、揺動プレート２は台座１のスリット８内部で上下方向に揺動自在に支持される。図４〜５に示されるように、揺動プレート２が略水平方向に横たわっている状態では、台座１とともに滑らかな平坦面を形成しているため、前述のように通行の妨げにならない。
【００２５】
また、床面およびレール３との衝突時の衝撃を吸収するために、揺動プレート２の先端部の上面および下面には、たとえばゴムシートなどの緩衝体を設けるのが好ましい。
【００２６】
図１〜２に示されるように、台座１と揺動プレート２とからなる床側部分２１〜２８は、戸板Ｓ１〜Ｓ４を全開または全閉したときに、揺動プレート２がレール３に係合し得るように、柱Ｐ付近または入口の中央付近に配置されている。揺動プレート２の向きは、たとえば、図２に示されるように、先端部が柱Ｐまたは入口の中央へ向くように設定されている。
【００２７】
なお、図示されていないが、それぞれの戸板Ｓ１〜Ｓ４の振れをさらに解消するために、床側部分２１と２２とのあいだ、床側部分２３と２４とのあいだ、床側部分２５と２６とのあいだ、床側部分２７と２８とのあいだにも、同じ構成の床側部分を配設してもよい。
【００２８】
なお、本実施の形態では、可動部材として、台座に上下方向に揺動自在に取り付けられた揺動プレートを例にあげて説明したが、本発明はこれに限定されるものではなく、台座に上下方向に移動自在に取り付けられ、少なくとも一部が磁性体からなり、かつ先端部には可動部材の長手方向と略垂直方向に延びる係合部が突設された可動部材であれば、種々の態様の可動部材を採用することができる。
【００２９】
たとえば、他の可動部材として、プレート状の部材の代わりに先端部を略Ｌ字状またはＴ字状に加工することにより係合部が形成された磁性体材料からなる線材または細い棒材であってもよい。さらに他の可動部材として、台座の一部を床に埋め込むことができる場合には、台座に上下方向に出没自在に取り付けられたシリンダの先端に磁性体からなる板状の係合部を固着してなる垂直移動式の可動部材なども本発明の可動部材として採用することができる。
【００３０】
また、揺動プレート２などの可動部材の一部が磁石で形成されていれば、端部ガイド４側の磁石５と可動部材側の磁石の双方の磁力の作用により、さらに強力に可動部材を端部ガイドへ向かって強く吸引することができる。その結果、可動部材を端部ガイドを介して確実にレールへ案内することができ、また、床と戸板の底面との隙間が広くなっても反応できる。なお、揺動プレート２の先端部付近に磁石を設けることにより、端部ガイド４側の磁石５に代えて磁性体を採用することもできる。
【００３１】
レール３は、図２〜３に示されるように、それぞれの戸板Ｓ１〜Ｓ４の下端縁に形成された溝Ｇに埋設されている。レール３は、下方に開放された長尺の中空体からなり、揺動プレート２の一対の係合部６に係合する水平方向に延びる一対の水平リブ１１を有している。一対の水平リブ１１先端同士の間隔は、ほぼ揺動プレート２の幅と等しくなっている。後述する端部ガイド４によってレール３内部に案内された揺動プレート２の係合部６は、レール３の水平リブ１１に係合するとともに該レール３によって戸板Ｓ１〜Ｓ４の下端縁に沿って案内される。
【００３２】
レール３の断面形状は、図３に示されるように、端部ガイド４に突設された一対の嵌合突起１２（図６〜７参照）と嵌合し得る空間部３ａを有しているため、レール３を任意の長さで切断しても、常にレール３を端部ガイド４に連結することができる。それによって戸板の幅に合わせてレール３および端部ガイド４を取り付けることができる。たとえば、図２に示される戸板Ｓ１〜Ｓ４の場合、それぞれの戸板は２個の端部ガイド４およびレール３を有しているが、戸板の幅から２個の端部ガイド４の長さを差し引いた長さにレールを切断し、そののち、レール３の両端部に端部ガイド４を連結すれば、レール３と端部ガイド４の長さの合計を容易に戸板の幅に合わせることができる。なお、レール３および端部ガイド４は、戸板の下端縁の溝内部に接着または木ねじによる締結などの方法で固着される。
【００３３】
端部ガイド４は、図６〜９に示されるように、下方に開放された中空体からなり、上面側には磁石５が固着され、底面側には、揺動プレート２の一対の係合部６に係合する水平方向に延びる一対の案内リブ１３を有している。案内リブ１３は、レール３に接続される嵌合突起１２の近傍（図７および図９参照）に部分的に形成され、反対側の端部へ向かうにつれて徐々に案内リブ１３の幅が減り、嵌合突起１２の中間部分では案内リブ１３がなくなるように形成されている。それにより、磁石５の磁力によって、前記揺動プレート２の係合部６が端部ガイド４の底面１４へ向かって引き寄せられたのち、案内リブ１３の斜面１３ａによって案内されながら円滑に案内リブ１３に係合し、そののちレール３へ案内される。
【００３４】
また、図６および図８に示されるように、端部ガイド４の上面側には、磁石５を端部ガイド４における所定の固着位置に係止するための少なくとも１本の爪、本実施の形態では４本の爪１５が形成されている。そして、爪１５の先端には、所定の固着位置に係止される磁石５と面接触することによって磁石の脱落を防止する接触面１５ａ（図８参照）が形成されている。したがって、たとえば、図６における４本の爪１５に囲まれる所定の固着位置へ磁石５をはめ込めば、接触面１５ａが磁石５に面接触して、いわゆる嵌め殺しの状態になり、２度と外れることがなくなる。
【００３５】
なお、端部ガイドとレールは、必ずしも別体にする必要はなく、戸板の寸法が予め固定されている場合には、かかる戸板の寸法に合うように、端部ガイドをレールと一体形成してもよい。
【００３６】
磁石５は、たとえば従来より市販されている矩形の永久磁石を採用することができるが、本発明において、磁石の寸法、性能などの諸条件についてはとくに限定されるものではない。
【００３７】
なお、本実施の形態では、磁石５を端部ガイド４に固着した例を示しているが、本発明はこれに限定されるものではなく、磁石が端部ガイドに近接した位置に配置されていれば、端部ガイド付近で可動部材を床面から突出させることができる。したがって、磁石を端部ガイドに固着させる代わりに、戸板の側端面付近に取り付けてもよい。
【００３８】
以上のように構成された本実施の形態の振止め装置では、戸板Ｓ１〜Ｓ４を全開または全閉したときに、磁石５の磁力を利用して自動的に揺動プレート２をレール３に係合させることができる。
【００３９】
たとえば、図１０（ａ）に示される戸板Ｓ２が、入口中央付近に設けられた台座１と揺動プレート２とからなる床側部分２２に向かって（すなわち閉方向へ）摺動しているとき、端部ガイド４と床側部分２２との距離が遠いときは、揺動プレート２水平に横たわっているため、床面は平坦になっている。
【００４０】
そして、図１０（ｂ）に示されるように、戸板Ｓ２が進み、端部ガイド４が床側部分２２のほぼ上方にまで移動したとき、端部ガイド４の前記磁石５が揺動プレート２を吸引して突出させる。
【００４１】
さらに、図１０（ｃ）に示されるように、戸板Ｓ２が進むと、端部ガイド４の前記案内リブ１３（図７および図９参照）が、揺動プレート２の前記係合部６（図４〜５参照）をレール３内部へ案内し、戸板Ｓ２が入口中央の所定の全閉位置へきたときには、揺動プレート２の係合部６がレール３に係合して、戸板Ｓ２の振れを防止することができる（図１〜３参照）。
【００４２】
図１０（ｃ）に示される戸板Ｓ２は、揺動プレート２によって振れを禁止されているが、揺動プレート２がレール３内部で摺動可能であるため、前後両方に摺動することができる。したがって、図１〜２に示される４枚の戸板Ｓ１〜Ｓ４を入口中央を越えていずれか一方の柱Ｐの方へ寄せることも可能である。
【００４３】
揺動プレート２の係合部６とレール３との係合を解除する場合には、戸板Ｓ２を前方または後方のいずれかの方向に摺動を続けるだけで、係合部６をレール３および端部ガイド４から容易に抜き出すことができる。そのとき、磁石５による吸引力が弱くなった揺動プレート２は自重により再び水平に倒れ、床面はほぼ平坦になる。
【００４４】
実施の形態２
図１１は、本発明の実施の形態２にかかわる振止め装置の部分断面斜視図である。
本実施の形態２では、前記台座の上面が床面と同一平面になるよう、前記台座および前記可動部材が床面に埋め込まれる。台座の上面が平坦であり、台座の上面に平行な任意の断面形状が、該上面外形の範囲に収まっている。そのような形状の台座を上面が床面と同一平面になるように、床面に埋め込んだ形態である。台座の上面が平坦であるため、台座の上面を床面と同一平面に埋め込んだとき、床面が平らになる。また、台座の上面に平行な任意の断面形状が、台座上面の範囲に収まっているので、台座を床面に埋め込む場合に、台座上面の大きさの穴を形成すればよく、台座まわりに穴があくことがない。そのため、通行する場合でも全く妨げにならず、また、一時的に床面にものを置く場合でも支障にならない。
【図面の簡単な説明】
【００４５】
【図１】本発明の実施の形態１にかかわる振止め装置を備えた吊下げ式引き戸の一例を示す平面説明図である。
【図２】図１の吊下げ式引き戸の正面図である。
【図３】図１の引き戸の下端縁におけるレールに係合された可動部材を示す要部切欠斜視説明図である。
【図４】図２の台座および可動部材を示す平面図である。
【図５】図４のＶ−Ｖ線断面図である。
【図６】図２の端部ガイドおよび磁石の平面図である。
【図７】図２の端部ガイドの底面図である。
【図８】図６のVIII−VIII線断面図である。
【図９】図６のIX−IX線断面図である。
【図１０】図２の振止め装置の動作説明図である。
【図１１】実施の形態２にかかわる振止め装置を備えた吊下げ式引き戸の例を示す、要部切欠斜視説明図である。
【符号の説明】
【００４６】
１  台座
２  揺動プレート
３  レール
４  端部ガイド
５  磁石
【図１】
2005155309.tif 000003
【図２】
2005155309.tif 000004
【図３】
2005155309.tif 000005
【図４】
2005155309.tif 000006
【図５】
2005155309.tif 000007
【図６】
2005155309.tif 000008
【図７】
2005155309.tif 000009
【図８】
2005155309.tif 000010
【図９】
2005155309.tif 000011
【図１０】
2005155309.tif 000012
【図１１】
2005155309.tif 000013